【手続補正書】
【提出日】令和1年8月29日(2019.8.29)
【手続補正１】
【補正対象書類名】特許請求の範囲
【補正対象項目名】全文
【補正方法】変更
【補正の内容】
【特許請求の範囲】
【請求項１】
輸送される収容箱が積載される車両の移動に関する移動情報を取得する移動情報取得部と、
収容箱の各々に設けられる温度測定部から、前記収容箱の識別情報と測定温度とを含む測定情報を受信する測定情報受信部と、
前記測定情報の各々の受信強度と、前記移動情報とに基づき、前記車両内に存在する温度測定部から発信された測定情報を特定する測定情報特定部と、
前記測定情報特定部が特定した測定情報に含まれる前記収容箱の識別情報に基づき、前記車両に積載されている前記収容箱の数を算出する算出部と、
を有することを特徴とする情報処理装置。
【請求項２】
前記収容箱の数と、前記車両に積み込み予定の収容箱の数とが異なる場合に、警告を出力する警告出力部をさらに有することを特徴とする請求項１に記載の情報処理装置。
【請求項３】
前記収容箱の数と、前記車両の識別情報とを、前記車両に積み込み予定の収容箱の数に関する情報を管理するサーバ装置に送信する送信部をさらに備え、
前記警告出力部は、前記収容箱の数と、前記車両に積み込み予定の収容箱の数とが異なる場合に、前記サーバ装置から送信される指示情報に基づき、前記警告を出力することを特徴とする請求項２に記載の情報処理装置。
【請求項４】
輸送される収容箱が積載される車両に積み込み予定の収容箱の数に関する情報を記憶する記憶部と、
請求項１〜３のいずれか一項に記載の情報処理装置から、前記車両に積載されている収容箱の数に関する情報と、前記車両の識別情報とを受信する受信部と、
前記車両に積載されている収容箱の数と、前記車両に積み込み予定の収容箱の数とが異なる場合、警告を出力する指示情報を前記情報処理装置に送信する送信部と、
を有するサーバ装置。
【請求項５】
輸送される収容箱が積載される車両の移動に関する移動情報を取得する移動情報取得部と、
収容箱の各々に設けられる温度測定部から、前記収容箱の識別情報と測定温度とを含む測定情報を受信する測定情報受信部と、
前記測定情報の各々の受信強度と、前記移動情報とに基づき、前記車両内に存在する温度測定部から発信された測定情報を特定する測定情報特定部と、
前記測定情報特定部が特定した測定情報を記憶部に記憶する測定情報記憶部と、
を有し、
前記温度測定部は、前記収容箱の壁面に設けられ、当該壁面には、前記温度測定部と前記壁面との厚みの差分と同等の厚みの材料が、当該差分を埋めるように配置される
ことを特徴とする情報処理装置。
【請求項６】
輸送される収容箱が積載される車両の移動に関する移動情報を取得する移動情報取得部と、
収容箱の各々に設けられる温度測定部から、前記収容箱の識別情報と測定温度とを含む測定情報を受信する測定情報受信部と、
前記測定情報の各々の受信強度と、前記移動情報とに基づき、前記車両内に存在する温度測定部から発信された測定情報を特定する測定情報特定部と、
前記測定情報特定部が特定した測定情報を、サーバ装置へ送信する送信部と、を有し、
前記送信部は、前記測定温度の変化に基づき、前記測定情報の送信頻度を決定する、情報処理装置。
【請求項７】
輸送される収容箱が積載される車両の移動に関する移動情報を取得する移動情報取得部と、
収容箱の各々に設けられる温度測定部から、前記収容箱の識別情報と測定温度とを含む測定情報を受信する測定情報受信部と、
前記測定情報の各々の受信強度と、前記移動情報とに基づき、前記車両内に存在する温度測定部から発信された測定情報を特定する測定情報特定部と、
前記測定情報特定部が特定した測定情報に含まれる前記収容箱の識別情報に基づき、前記車両に積載されている前記収容箱の数を算出する算出部
としてコンピュータを機能させるプログラム。
【手続補正２】
【補正対象書類名】明細書
【補正対象項目名】０００５
【補正方法】変更
【補正の内容】
【０００５】
本発明の１つの観点では、情報処理装置は、輸送される収容箱が積載される車両の移動に関する移動情報を取得する移動情報取得部と、収容箱の各々に設けられる温度測定部から、前記収容箱の識別情報と測定温度とを含む測定情報を受信する測定情報受信部と、前記測定情報の各々の受信強度と、前記移動情報とに基づき、前記車両内に存在する温度測定部から発信された測定情報を特定する測定情報特定部と、前記測定情報特定部が特定した測定情報に含まれる前記収容箱の識別情報に基づき、前記車両に積載されている前記収容箱の数を算出する算出部と、を有する。
【手続補正３】
【補正対象書類名】明細書
【補正対象項目名】０００６
【補正方法】変更
【補正の内容】
【０００６】
上記情報処理装置の一態様では、情報処理装置は、前記収容箱の数と、前記車両に積み込み予定の収容箱の数とが異なる場合に、警告を出力する警告出力部をさらに有する。
【手続補正４】
【補正対象書類名】明細書
【補正対象項目名】０００７
【補正方法】変更
【補正の内容】
【０００７】
上記情報処理装置の他の一態様では、情報処理装置は、前記収容箱の数と、前記車両の識別情報とを、前記車両に積み込み予定の収容箱の数に関する情報を管理するサーバ装置に送信する送信部をさらに備え、前記警告出力部は、前記収容箱の数と、前記車両に積み込み予定の収容箱の数とが異なる場合に、前記サーバ装置から送信される指示情報に基づき、前記警告を出力する。
【手続補正５】
【補正対象書類名】明細書
【補正対象項目名】０００８
【補正方法】変更
【補正の内容】
【０００８】
本発明の他の観点では、サーバ装置は、輸送される収容箱が積載される車両に積み込み予定の収容箱の数に関する情報を記憶する記憶部と、上記いずれかに記載の情報処理装置から、前記車両に積載されている収容箱の数に関する情報と、前記車両の識別情報とを受信する受信部と、前記車両に積載されている収容箱の数と、前記車両に積み込み予定の収容箱の数とが異なる場合、警告を出力する指示情報を前記情報処理装置に送信する送信部と、を有する。
【手続補正６】
【補正対象書類名】明細書
【補正対象項目名】０００９
【補正方法】変更
【補正の内容】
【０００９】
本発明のさらに別の観点では、情報処理装置は、輸送される収容箱が積載される車両の移動に関する移動情報を取得する移動情報取得部と、収容箱の各々に設けられる温度測定部から、前記収容箱の識別情報と測定温度とを含む測定情報を受信する測定情報受信部と、前記測定情報の各々の受信強度と、前記移動情報とに基づき、前記車両内に存在する温度測定部から発信された測定情報を特定する測定情報特定部と、前記測定情報特定部が特定した測定情報を記憶部に記憶する測定情報記憶部と、を有し、前記温度測定部は、前記収容箱の壁面に設けられ、当該壁面には、前記温度測定部と前記壁面との厚みの差分と同等の厚みの材料が、当該差分を埋めるように配置される。
【手続補正７】
【補正対象書類名】明細書
【補正対象項目名】００１０
【補正方法】変更
【補正の内容】
【００１０】
本発明のさらに別の観点では、情報処理装置は、輸送される収容箱が積載される車両の移動に関する移動情報を取得する移動情報取得部と、収容箱の各々に設けられる温度測定部から、前記収容箱の識別情報と測定温度とを含む測定情報を受信する測定情報受信部と、前記測定情報の各々の受信強度と、前記移動情報とに基づき、前記車両内に存在する温度測定部から発信された測定情報を特定する測定情報特定部と、前記測定情報特定部が特定した測定情報を、サーバ装置へ送信する送信部と、を有し、前記送信部は、前記測定温度の変化に基づき、前記測定情報の送信頻度を決定する。
【手続補正８】
【補正対象書類名】明細書
【補正対象項目名】００１１
【補正方法】変更
【補正の内容】
【００１１】
本発明のさらに別の観点では、プログラムは、輸送される収容箱が積載される車両の移動に関する移動情報を取得する移動情報取得部と、収容箱の各々に設けられる温度測定部から、前記収容箱の識別情報と測定温度とを含む測定情報を受信する測定情報受信部と、前記測定情報の各々の受信強度と、前記移動情報とに基づき、前記車両内に存在する温度測定部から発信された測定情報を特定する測定情報特定部と、前記測定情報特定部が特定した測定情報に含まれる前記収容箱の識別情報に基づき、前記車両に積載されている前記収容箱の数を算出する算出部としてコンピュータを機能させる。
【手続補正９】
【補正対象書類名】明細書
【補正対象項目名】００１２
【補正方法】削除
【補正の内容】
【手続補正１０】
【補正対象書類名】明細書
【補正対象項目名】００１３
【補正方法】削除
【補正の内容】
【手続補正１１】
【補正対象書類名】明細書
【補正対象項目名】００１４
【補正方法】変更
【補正の内容】
【００１４】
本発明によれば、積載空間内に存在する収容箱の測定情報を積載空間外に存在する収容箱の測定情報から的確に選別し、収容箱に関する管理を適切に行うことができる。